(57)【特許請求の範囲】
【請求項１】
情報入力用のキーボードが組み込まれた本体と、前記本体に対して第１のヒンジにより開閉自在に取り付けられた表示部とを備えた携帯用情報処理装置であって、未使用時には前記表示部の外側に位置して前記表示部に組み込まれた液晶パネルに加わる外圧から保護する機能と、使用時には３６０度回転させて前記液晶パネルの前面に位置してフィルタとなる機能とを兼ね備えた補強板を備えたことを特徴とする携帯用情報処理装置。
【請求項２】
前記表示部は、前記本体と結合される前記第１のヒンジとは反対側に、第２のヒンジが設けられ、前記補強板が回転自在に取り付けられていることを特徴とする請求項１記載の携帯用情報処理装置。
【請求項３】
前記補強板は、使用時には前記液晶パネルの前面に位置し、未使用時には前記表示部を閉じたときの直上で前記第２のヒンジとは反対側に位置するフックにより固定されることを特徴とする請求項１又は２記載の携帯用情報処理装置。
【請求項４】
前記補強板は、その面積が前記表示部の範囲内で前記液晶パネルより大きく、前記表示部より薄い範囲内で適度の厚みがあり、長方形の平板であることを特徴とする請求項１、２又は３記載の携帯用情報処理装置。
【請求項５】
前記補強板は、材質が透明なアクリル板であり、表面がグレア処理されていることを特徴とする請求項１、２、３又は４記載の携帯用情報処理装置。
【請求項６】
前記補強板は、材質が半透明あるいは不透明なアクリル板であることを特徴とする請求項１、２、３又は４記載の携帯用情報処理装置。
【請求項７】
前記補強板は、使用時には前記液晶パネルの前面に位置する表面がグレア処理された透明なアクリル板と、前記キーボードの上方に位置して外光を遮断する半透明あるいは不透明なアクリル板との２枚構成で、独立した複数のヒンジにより前記表示部に取り付けられていることを特徴とする請求項１、２、３又は４記載の携帯用情報処理装置。
【発明の詳細な説明】
【０００１】
【発明の属する技術分野】
本発明は携帯用情報処理装置に関し、特に液晶パネルの補強と液晶パネルの光乱反射を低減するフィルタの機能とを兼ねる補強板を備えた携帯用情報処理装置に関する。
【０００２】
【従来の技術】
従来この種の携帯用情報処理装置は、小型で持ち運びが容易であるため、誤って踏まれたり、取り扱い方によっては液晶パネルに大きな力が加わるなどで液晶パネルにヒビやクラックが入り、最悪の場合には割れてしまうという危険性があった。
【０００３】
また、この携帯用情報処理装置をさらに薄くするために、本体だけでなく液晶パネルについても、薄くすることが求められている。
【０００４】
これらの対策として、表示部のケース型材を厚くしたり、液晶パネルの裏側の表示部内に金属板等を設けることにより補強する方法もあるが、重量の増加で持ち運びが容易な特徴を生かせなくなるという問題がある。
【０００５】
【発明が解決しようとする課題】
上述した従来の携帯用情報処理装置は、小型軽量であるため、取り扱い方により液晶パネルにヒビやクラックが入り、最悪の場合には割れて危険を伴うという欠点があった。
【０００６】
本発明の目的は、このような従来の欠点を除去するため、液晶パネルを組み込んだ表示部の開放側に設けたヒンジにより回転自在の補強板を取り付けることにより、液晶パネルの補強と液晶パネルの光乱反射を低減するフィルタ機能とを備えた携帯用情報処理装置を提供することにある。
【０００７】
【課題を解決するための手段】
本発明の携帯用情報処理装置は、情報入力用のキーボードが組み込まれた本体と、前記本体に対して第１のヒンジにより開閉自在に取り付けられた表示部とを備えた携帯用情報処理装置であって、未使用時には前記表示部の外側に位置して前記表示部に組み込まれた液晶パネルに加わる外圧から保護する機能と、使用時には３６０度回転させて前記液晶パネルの前面に位置してフィルタとなる機能とを兼ね備えた補強板を備えたことを特徴としている。
【０００８】
また、前記表示部は、前記本体と結合される前記第１のヒンジとは反対側に、第２のヒンジが設けられ、前記補強板が回転自在に取り付けられていることを特徴としている。
【０００９】
また、前記補強板は、使用時には前記液晶パネルの前面に位置し、未使用時には前記表示部を閉じたときの直上で前記第２のヒンジとは反対側に位置するフックにより固定されることを特徴としている。
【００１０】
また、前記補強板は、その面積が前記表示部の範囲内で前記液晶パネルより大きく、前記表示部より薄い範囲内で適度の厚みがあり、長方形の平板であることを特徴としている。
【００１１】
さらに、前記補強板は、材質が透明なアクリル板であり、表面がグレア処理されていることを特徴としている。
【００１２】
また、前記補強板は、材質が半透明あるいは不透明なアクリル板であることを特徴としている。
【００１３】
また、前記補強板は、使用時には前記液晶パネルの前面に位置する表面がグレア処理された透明なアクリル板と、前記キーボードの上方に位置して外光を遮断する半透明あるいは不透明なアクリル板との２枚構成で、独立した複数のヒンジにより前記表示部に取り付けられていることを特徴としている。
【００１４】
【発明の実施の形態】
次に、本発明の実施の形態について図面を参照して説明する。図１は、本発明の携帯用情報処理装置の一つの実施の形態を示す外観図である。
【００１５】
図１に示す本実施の形態は、情報入力用のキーボード８が組み込まれた本体１と、液晶パネル９が組み込まれ、本体１に対してヒンジ３により開閉自在に取り付けられた表示部２と、表示部２のヒンジ５に回転自在に取り付けられた長方形の平板とする補強板４とより構成されている。
【００１６】
次に、本実施の形態について図１を参照して詳細に説明する。図１（ａ）は未使用状態の外観図であり、図１（ｂ）は使用状態の外観図である。
【００１７】
図１によると、本体１は情報入力用のキーボード８が組み込まれ、後方に備えるヒンジ３により表示部２が開閉自在に取り付けられている。
【００１８】
表示部２は、液晶パネル９が組み込まれ、そのパネルフレームが一般に金属で作られているため強度を有するが、表示部２の液晶パネル９の部分はその分だけ薄くなるため外部からの力に対して強度が劣ってしまう。したがって、液晶パネル９の部分を強化し、外部からの力より保護することが望まれる。
【００１９】
補強板４は、表示部２の面積より小さく液晶パネル９より大きい長方形の平板であり、表示部２の一端に設けられた回転用のヒンジ５に取り付けられている。また補強板４は、回転用のヒンジ５の反対側に固定用穴６が設けられ、図１（ａ）に示すように、未使用時には表示部２の直上で、表示部２に備えられたフック７により固定される。
【００２０】
次に、本発明の実施の形態の動作について図面を参照して説明する。
【００２１】
まず、携帯用情報処理装置の未使用時、つまり表示部２を閉じた状態では、図１（ａ）に示すように、補強板４は表示部２の一端に備えられた２個所のヒンジ５とヒンジ５の反対側にあるフック７に固定用穴６を通すことにより固定されている。固定用穴６およびフック７は、回転した後の補強板４のバタツキを防止するためのものであり、固定できるものであれば良い。
【００２２】
また、補強板４は、その面積が表示部２より小さい範囲で液晶パネル９より大きい長方形の平板とし、さらに適度の厚み、例えば２ｍｍとすることにより、外部からの圧力を表示部２のパネルフレームに分散し、液晶パネル９を保護することができる。
【００２３】
次に、携帯用情報処理装置の使用時には、表示部２を開き使用状態にした上で、補強板４を３６０度前方に回転させて、液晶パネル９の前面側に移動する。図１（ｂ）は、補強板４を３６０度回転し、液晶パネル９の前面に移動した状態を示す。この状態で、補強板４は、例えば透明アクリル板を使用し、表面をグレア処理することにより、携帯用情報処理装置を操作する際の偏光フィルタの役割を果たすことになる。したがって、補強板４はフィルタ機能と強度確保との両立を図ることができる。
【００２４】
このように、従来は単一機能であった補強板４にフィルタの機能を付加し、一つの部品で複合効果を実現することができる。
【００２５】
次に、本発明の他の実施の形態を説明する。図２は、本発明の携帯用情報処理装置の他の実施の形態を示す外観図である。
【００２６】
図２によると、補強板１０は、屋外で使用する場合に、キーボード８の上方で固定させることにより、上方からの有害な光（紫外線）を遮断することができ、液晶パネル９の表示が見にくくなることを防ぐことができる。この場合には、補強板１０の素材は半透明もしくは不透明のアクリル板とすることにより、さらに効果が上がる。
【００２７】
さらに、本発明の携帯用情報処理装置の他の実施の形態として、補強板を２枚で構成し、１枚目は図１（ｂ）に示すと同様に使用し、他の１枚は図２に示すと同様に使用する。すなわち、補強板は、使用時には液晶パネル９の前面に位置する表面がグレア処理された透明なアクリル板とする補強板４と、キーボード８の上方で外光を遮断する半透明あるいは不透明なアクリル板とする補強板１０とを有する２枚構成で、独立した複数のヒンジにより表示部２に取り付けられる。
【００２８】
これらの補強板４、１０（図示せず）は、同一の大きさであり、未使用時には重ねて表示部２に固定されるため、それぞれを厚くすることなく液晶パネル９を外部からの力より保護することができる。
【００２９】
なお、本発明は液晶パネルに限らず破損し易い表示部を備える携帯型の情報処理装置であればどのようなものにでも適用が可能である。
【００３０】
【発明の効果】
以上説明したように、本発明の携帯用情報処理装置によれば、液晶パネルの開放側に回転自在の補強板を設けることにより、液晶パネルの補強と液晶パネルの光乱反射を低減するフィルタ機能とを有する効果がある。
【００３１】
従来の補強板は後付けでオプション品扱いとなり、設置がわずらわしい面があった。本発明では携帯用情報処理装置と一体化し、且つフィルタの役割をも果たすという複合機能を持たせることで付加価値を見出せることができる。また、一体化しているため外観を損ねることもない。
【図面の簡単な説明】
【図１】本発明の携帯用情報処理装置の一つの実施の形態を示す外観図である。
【図２】本発明の携帯用情報処理装置の他の実施の形態を示す外観図である。
【符号の説明】
１    本体
２    表示部
３    ヒンジ
４    補強板
５    ヒンジ
６    固定用穴
７    フック
８    キーボード
９    液晶パネル
１０    補強板
【図１】
0003607623.tif 000002
【図２】
0003607623.tif 000003